(57)【要約】      （修正有）【課題】中指、及び人指し指、薬指の各指袋が道具に引きずられることによる不快感を抑制する編み手袋を提供する。【解決手段】編み手袋１は、人差し指袋１２、中指袋１３、薬指袋１４の指股部から編成された３本胴１６と、３本胴と小指袋の指股部から編成された４本胴１８と、４本胴１８と親指袋の指股部から編成された５本胴１９とからなる。３本胴１６には編み糸にゴム糸を加えて収縮部１７が編成されている。道具にあてがわれる中指１３、及び人指し指１２、薬指１４の各指袋が道具に引きずられて指の間で移動することを収縮部１７で防ぐことができ、フィット感が向上する。【選択図】図１
0003162125.tif 000002
【実用新案登録請求の範囲】
【請求項１】
親指袋、人差し指袋、中指袋、薬指袋及び小指袋と、胴部からなる編み手袋であって、人差し指袋、中指袋、薬指袋の指股部から編成された３本胴と、前記３本胴と小指袋の指股部から編成された４本胴と、前記４本胴と親指袋の指股部から編成された５本胴とからなり、前記３本胴には編み糸にゴム糸を加えて編成された収縮部を有していることを特徴とする編み手袋。
【請求項２】
前記４本胴部或いは５本胴を編成する際に編み糸にゴム糸を加えて編成することを特徴とする請求項１記載の編み手袋。
【考案の詳細な説明】
【技術分野】
【０００１】
本考案は、ゴム糸を横編みにより編んだ手袋に関する。
【背景技術】
【０００２】
ゴム糸を横編みにより編んだ手袋として、人差し指、中指、薬指、及び小指の４本の指袋の基部に続いて４本胴部を形成し、親指の指袋を編成して５本胴を形成し、さらに口ゴム部を形成した軍手が例えば、特許文献1により知られている。また、特許文献２においては、人差し指、中指、薬指の３本の指袋の基部に続いて、小指を編成して４本胴部を形成し、さらに、親指の指袋を編成して５本胴を形成した軍手が知られている。
【０００３】
特許文献１においては、指の広がりを考慮して予め大きめに作られた４本胴部分において手袋のフィット感を得るために、４本胴の位置に収縮部を設けている。また、特許文献２においては、実際の人間の手の形状が、小指と薬指間の指股部は、薬指と人差し指の指股部よりも一段深く食い込んでいることから、これに合せてフィット感を得るように、小指を一段下げるために３本胴を追加している。
【先行技術文献】
【特許文献】
【０００４】
【特許文献１】実登３１５４６８７号公報
【特許文献２】特開２００８-２７４４４７号公報
【考案の概要】
【考案が解決しようとする課題】
【０００５】
手で道具の柄を握る際には、小指で柄を固定し、人差し指、中指、薬指は柄にあてがうように機能している。小指が脱落すると道具を握るのに力が入らない。これを利用したのが、ゴルフクラブの握り方の一つ、インターロッキンググリップであり、右の小指を絡ませることにより右手の力が入りにくくしている。
【０００６】
柄のある道具を使って作業を行う際、小指の位置ではしっかり柄をグリップしているので、小指の指袋の位置ずれは起きにくい。一方、人差し指、中指、薬指は柄にあてがわれているだけであるので、道具を振り下ろす毎に人差し指、中指、薬指が軍手の指袋から外れていく、あるいは人差し指、中指、薬指の指袋が道具とともに移動するような不快感を感じることになる。先に示した各特許文献においては、装着時のフィット性は得られるものの、これらの文献においては、実際の作業を行う際の軍手の装着性についての考慮が足りておらず、この問題には対応できなかった。
【０００７】
本考案は、上記問題に鑑みて成されたもので、道具を持って作業を行う場合に、道具にあてがわれている中指、及び人指し指、薬指の各指袋が道具に引きずられることによる不快感を起させることを抑制することを目的とする。
【課題を解決するための手段】
【０００８】
上記目的を達成するため、本考案の編み手袋は、親指袋、人差し指袋、中指袋、薬指袋及び小指袋と、胴部からなる編み手袋であって、人差し指袋、中指袋、薬指袋の指股部から編成された３本胴と、前記３本胴と小指袋の指股部から編成された４本胴と、前記４本胴と親指袋の指股部から編成された５本胴とからなり、前記３本胴には編み糸にゴム糸を加えて編成された収縮部を有していることを特徴とする。
【考案の効果】
【０００９】
本考案の編み手袋は、道具を持って作業を行う場合に、道具にあてがわれている中指、及び人指し指、薬指の各指袋が道具に引きずられて指の間で移動することをこれらの指の根元で防ぐことができ、フィット感が向上するという効果がある。このため、道具を握って作業を行う動作も安心して行うことができるものである。
【図面の簡単な説明】
【００１０】
【図１】本実施例の編み手袋を示す平面図である。
【図２】編み手袋に収縮部を設けるパターンを示す平面図である。
【図３】編み手袋の製造工程を示す図である。
【考案を実施するための最良の形態】
【００１１】
以下、図１に本実施の編み手袋1を示す。編み手袋１は、横編みによる編み物で形成された軍手である。編み手袋１は、第１範囲ａの人指し指１２、中指袋１３、薬指袋１４に続いて、第２範囲ｂに3本胴１６が編成されている。3本胴には、ゴム糸が編み込まれており収縮部１７が編成されている。第３範囲cにおいては、小指袋１５が3本胴の終端位置から追加されて４本胴１８が編成されている。４本胴１８の終端位置から親指袋が追加されて指股部を形成し、第４範囲ｄに５本胴１９が編成されている。５本胴１９の最後には、手首位置に相当するとなる第５範囲ｅにゴム編み部２０が編成されている。
【００１２】
図２は、図2Ａに示す3本胴１６へのゴム糸の編み込みに付加して、４本胴１８及び５本胴１９へのゴム糸の編み込みのパターン２１の例を図２Ｂ乃至図２Ｉに示している。4本胴１８の位置に置いては、4本胴18を3箇所に区分して、編成始めの位置と、中間位置、終わり位置において、ゴム糸を編み込むパターン２１を示している。また、5本胴１９においては5本胴１９の編成開始位置においてゴム糸を編み込むパターン２１を示している。これらのパターン位置にゴム糸を編み込むことにより、４本胴１８及び５本胴１９に収縮部が形成される。尚、いずれのパターン２１おいても、3本胴１６位置にはゴム糸が編みこまれ収縮部１７が形成されている。
【００１３】
これらの例においては、3本胴16のゴム糸の編み込みに付加して4本胴18や5本胴１９にゴム糸を編み込むことにより、さらに装着時のフッィト性が向上させることができるものである。図示の例以外にも、3本胴16のゴム糸の編みこみに付加してゴム糸を編み込んで良い。
【００１４】
図３に編み手袋１の製作工程を示す。編み手袋１は、まず人指し指袋１２、中指袋１３、薬指袋１４の３本の指袋を指股部が連結した状態で編む。また、これと並行して、小指袋１５が編まれる（図３Ａ）。次に、人指し指袋１２、中指袋１３、薬指袋１４の３本の指袋の指股部に続いて、編み糸にゴム糸を加えて周回させ３本胴部１６を編成する（図３Ｂ）。そして、小指袋１５と３本胴部１６との股閉じを行い、続いて網糸を周回させて４本胴部１８を編成する（図３Ｃ）。親指袋１１が編成され、親指袋１１と４本胴部１８の股閉じを行い、編み糸を周回させて５本胴１９が編成される。４本胴部１８及び５本胴部１９の編成においては、先述の例のようにゴム糸が製品価格に応じて選択的に編み込まれて収縮部を形成する。続いて、ゴム編み部２０が編成される。
【００１５】
編み手袋１によれば、３本胴部１６にゴム糸を加えた収縮部１７が形成されているので、道具を持って作業を行う場合に、道具にあてがわれている中指、及び人指し指、薬指の各指袋が道具に引きずられて指の間で移動することをこれらの指の根元で防ぐことができ、フィット感が向上するという効果がある。
【００１６】
特に、軍手の中には、滑り止め防止のために、掌や指先にまで様々な加工が施されているものがある。例えば、塩化ビニル樹脂を粒状に塗布した軍手や、天然ゴムラテックス、及び合成ゴムラテックスを浸漬加工した軍手、ゴムを印刷或いは熱圧着した軍手等である。そのような手袋の場合、中指、及び人指し指、薬指と各指袋とのフッィト性よりも、この滑り止めと道具との固定性が勝るため、各指袋が道具に引きずられて指と指袋の間が道具を振り下ろしたり振り上げたりする作業によりずれることが生じやすくなる。本実施例のように、３本胴部にゴム糸を加えた収縮部を形成することにより、中指、及び人指し指、薬指に対する指袋の固定性が向上するため、特に優位である。
【符号の説明】
【００１７】
１    編み手袋
１１ 親指袋
１2 人差し指袋
１３ 中指袋
１４ 薬指袋
１５ 小指袋
１６  ３本胴
１７  収縮部
１８ ４本胴
１９  ５本胴
２０ ゴム編み部
【図１】
0003162125.tif 000003
【図２】
0003162125.tif 000004
【図３】
0003162125.tif 000005